(57)【要約】【課題】設定された映像信号が入力されたとき、投写を開始するプロジェクターを提供する。【解決手段】プロジェクター１は、光源（光源ランプ１１ａ）と、光源から射出された光を第１映像信号に応じて画像光に変調して投写する画像投写部１０と、設定された第２映像信号の種別を記憶する映像信号記憶部２３と、第１映像信号を入力する入力部（映像信号入力部３０）と、入力部に入力された第１映像信号の種別を判別する映像信号判別部３１と、映像信号判別部３１が判別した第１映像信号の種別と、映像信号記憶部２３に記憶された第２映像信号の種別とが一致した場合に、光源を点灯させる制御部２０と、を備える。【選択図】図１
2015121648.tif 000002
【特許請求の範囲】
【請求項１】
光源と、
前記光源から射出された光を第１映像信号に応じて画像光に変調して投写する画像投写部と、
設定された第２映像信号の種別を記憶する映像信号記憶部と、
前記第１映像信号を入力する入力部と、
前記入力部に入力された前記第１映像信号の種別を判別する映像信号判別部と、
前記映像信号判別部が判別した前記第１映像信号の種別と、前記映像信号記憶部に記憶された前記第２映像信号の種別とが一致した場合に、前記光源を点灯させる制御部と、
を備えることを特徴とするプロジェクター。
【請求項２】
請求項１に記載のプロジェクターであって、
前記映像信号記憶部は、複数の前記第２映像信号の種別を記憶可能であることを特徴とするプロジェクター。
【請求項３】
請求項１または２に記載のプロジェクターであって、
前記入力部は複数の入力端子を備え、
前記映像信号記憶部は、前記入力端子毎に、複数の前記第２映像信号の種別を記憶可能であることを特徴とするプロジェクター。
【請求項４】
請求項１乃至３のいずれか一項に記載のプロジェクターであって、
前記制御部は、前記映像信号判別部が判別した前記第１映像信号の種別と、前記映像信号記憶部に記憶された前記第２映像信号の種別とが一致し、且つ、所定の時間、前記第１の映像信号が入力され続けた場合に、前記光源を点灯させることを特徴とするプロジェクター。
【請求項５】
光源と、第１映像信号を入力する入力部と、前記光源から射出された光を前記第１映像信号に応じて画像光に変調して投写する画像投写部と、を備えるプロジェクターの制御方法であって、
設定された第２映像信号の種別を記憶する映像信号記憶ステップと、
前記入力部に入力された前記第１映像信号の種別を判別する映像信号判別ステップと、
前記映像信号判別ステップによって判別された前記第１映像信号の種別と、前記映像信号記憶ステップによって記憶された前記第２映像信号の種別とが一致した場合に、前記光源を点灯させる制御ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、プロジェクターを他の映像機器とともにシステムに組み込んで、自動的に電源をオンして投射したり、電源をオフして消灯したりしたいという要望があった。特許文献１には、映像信号の入力の有無を検出する映像信号検出手段を備え、映像信号が入力されたことを映像信号検出手段が検出したときに、光源を点灯させる点灯制御手段を有する投射型表示装置が開示されている。このような投射型画像表示装置によれば、映像信号の入力によって、投射型画像表示装置の電源をオンして投写させることができる。
【先行技術文献】
【特許文献】
【０００３】
【特許文献１】特開２００１−１３３８８０号公報
【発明の概要】
【発明が解決しようとする課題】
【０００４】
しかしながら、特許文献１に記載の投射型画像表示装置では、入力される映像信号の種別の判定については記載されていない。このため、所望でない映像機器が接続されて映像信号が入力されたときや、所望でない種類の映像信号が入力されたときでも、画像表示装置の電源がオンして投写を行ってしまう。これにより、光源ランプが消耗したり、電力を浪費したりしてしまうという問題があった。また、投射型画像表示装置が表示可能なアスペクト比に適さない映像を出力してしまう場合もあった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源と、前記光源から射出された光を第１映像信号に応じて画像光に変調して投写する画像投写部と、設定された第２映像信号の種別を記憶する映像信号記憶部と、前記第１映像信号を入力する入力部と、前記入力部に入力された前記第１映像信号の種別を判別する映像信号判別部と、前記映像信号判別部が判別した前記第１映像信号の種別と、前記映像信号記憶部に記憶された前記第２映像信号の種別とが一致した場合に、前記光源を点灯させる制御部と、を備えることを特徴とする。
【０００７】
このようなプロジェクターによれば、映像信号記憶部は、設定された第２映像信号の種別を記憶する。映像信号判別部は、入力部に入力された第１映像信号の種別を判別する。制御部は、映像信号判別部が判別した第１映像信号の種別と、映像信号記憶部に記憶された第２映像信号の種別とが一致した場合に、光源を点灯させる。これにより、第１映像信号が設定された第２映像信号と一致した場合に、光源を点灯して、投写を開始することができる。
【０００８】
［適用例２］上記適用例に係るプロジェクターにおいて、前記映像信号記憶部は、複数の前記第２映像信号の種別を記憶可能であることを特徴とする。
【０００９】
このようなプロジェクターによれば、映像信号記憶部は、複数の第２映像信号の種別を記憶可能である。これにより、映像信号判別部が判別した第１映像信号の種別と、設定された複数の第２映像信号の種別のうちの１つが一致した場合に、光源を点灯して、投写を開始することができる。
【００１０】
［適用例３］上記適用例に係るプロジェクターにおいて、前記入力部は複数の入力端子を備え、前記映像信号記憶部は、前記入力端子毎に、複数の前記第２映像信号の種別を記憶可能であることを特徴とする。
【００１１】
このようなプロジェクターによれば、映像信号記憶部は、入力部に備わる複数の入力端子毎に、複数の第２映像信号の種別を記憶可能である。これにより、入力端子から入力されて映像信号判別部が判別した第１映像信号の種別と、入力端子毎に設定された複数の第２映像信号の種別のうちの１つが一致した場合に、光源を点灯して、投写を開始することができる。
【００１２】
［適用例４］上記適用例に係るプロジェクターにおいて、前記制御部は、前記映像信号判別部が判別した前記第１映像信号の種別と、前記映像信号記憶部に記憶された前記第２映像信号の種別とが一致し、且つ、所定の時間、前記第１の映像信号が入力され続けた場合に、前記光源を点灯させることを特徴とする。
【００１３】
このようなプロジェクターによれば、映像信号記憶部に記憶された第２映像信号の種別と一致する第１映像信号が、所定の時間、入力され続けた場合に、光源を点灯して、投写を開始することができる。これにより、設定された第２映像信号が所定の時間、確実に入力されている場合に、光源を点灯して、投写を開始することができる。
【００１４】
［適用例５］本適用例に係るプロジェクターの制御方法は、光源と、第１映像信号を入力する入力部と、前記光源から射出された光を前記第１映像信号に応じて画像光に変調して投写する画像投写部と、を備えるプロジェクターの制御方法であって、設定された第２映像信号の種別を記憶する映像信号記憶ステップと、前記入力部に入力された前記第１映像信号の種別を判別する映像信号判別ステップと、前記映像信号判別ステップによって判別された前記第１映像信号の種別と、前記映像信号記憶ステップによって記憶された前記第２映像信号の種別とが一致した場合に、前記光源を点灯させる制御ステップと、を備えることを特徴とする。
【００１５】
このようなプロジェクターの制御方法によれば、第１映像信号が設定された第２映像信号と一致した場合に、光源を点灯して、投写を開始することができる。
【００１６】
また、上述したプロジェクター、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００１７】
【図１】プロジェクターの概略構成を示すブロック図。
【図２】自動電源オンを行う映像信号設定メニュー画像の説明図。
【図３】実施形態に係るプロジェクターの状態遷移図。
【図４】実施形態に係るプロジェクターの映像信号入力監視処理のフローチャート。
【発明を実施するための形態】
【００１８】
（実施形態）
以下、実施形態として、設定された映像信号が入力された場合に、光源を点灯して投写を開始するプロジェクターについて説明する。
【００１９】
図１は、プロジェクター１の概略構成を示すブロック図である。
図１に示すように、プロジェクター１は、画像投写部１０、制御部２０、操作受付部２１、光源制御部２２、映像信号記憶部２３、入力部としての映像信号入力部３０、映像信号判別部３１、映像処理部３２、ＯＳＤ処理部３３等を備えている。
【００２０】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２１】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２３】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１の動作を統括制御する。また、制御部２０は、タイマー（図示せず）を有しており、所定の時間を計時する。
【００２４】
操作受付部２１は、ユーザーのキー操作を受け付ける操作パネル等であり、ユーザーがプロジェクター１に対して各種指示を行うための複数の操作キーを備えている。本実施形態の操作受付部２１が備える操作キーとしては、電源のオン・オフを切り換えるための電源キー、入力された画像情報を切り換えるための入力切換キー、各種設定用のメニュー画像を表示させるメニューキー、メニュー画像における項目の選択等に用いられる方向キー、選択した項目を確定させるための決定キー等がある。
【００２５】
ユーザーが操作受付部２１の各種操作キーを操作すると、操作受付部２１は、この操作を受け付けて、操作された操作キーに対応する制御信号を制御部２０に出力する。そして、制御部２０は、操作受付部２１から制御信号が入力されると、入力された制御信号に基づく処理を行って、プロジェクター１の動作を制御する。なお、操作受付部２１の代わりに、あるいは操作受付部２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００２６】
光源制御部２２は、制御部２０の指示に基づいて、光源装置１１に対する電力の供給と停止とを制御し、光源装置１１の点灯および消灯を切り換える。
【００２７】
映像信号記憶部２３は、不揮発性メモリーを有して構成される。ユーザーが、後述する「自動電源オンを行う映像信号設定メニュー画像」において、所望の映像信号の設定（選択）操作を行うと、制御部２０は、映像信号記憶部２３に、選択された映像信号の種別を記憶させる。映像信号の種別は、映像信号入力部３０に備わる複数の入力端子３０ａ毎に、複数設定することが可能である。
【００２８】
ここで、自動電源オンを行う映像信号設定メニュー画像について説明する。「自動電源オン」とは、プロジェクター１に商用電源が投入されており、且つ、光源ランプ１１aを点灯しておらず、投写もしていない状態である「スタンバイ状態（後述する）」において、映像信号記憶部２３に記憶されている種別の映像信号が入力端子３０ａに入力されたときに、光源ランプ１１aを点灯して、入力された映像信号に応じた映像を投写する「投写状態（後述する）」に遷移することを示す。
【００２９】
操作受付部２１に備わるメニューキーが押下されると、選択項目の１つとして、「自動電源オンを行う映像信号設定メニュー」項目が表示される。ユーザーは、当該「自動電源オンを行う映像信号設定メニュー」項目を選択して決定すると、自動電源オンを行う映像信号設定メニュー画像が表示される。
図２は、自動電源オンを行う映像信号設定メニュー画像の説明図である。
【００３０】
図２に示すように、自動電源オンを行う映像信号設定メニュー画像Ｍ１の最上部には、「自動電源オンを行う映像信号設定メニュー」という文字列が表示されている。その下部には、「アナログＲＧＢ」という文字列が表示されており、さらにその下部には、アナログＲＧＢの入力端子において選択設定可能な映像信号名が列挙されている。ここでは、１０個の映像信号「ＶＧＡ  ６０Ｈｚ」〜「ＷＵＸＧＡ  ６０Ｈｚ」が表示されている。さらにその下部には、「コンポジットビデオ」という文字列が表示されており、その下部には、コンポジットビデオの入力端子において選択設定可能な映像信号名が列挙されている。ここでは、３個の映像信号「ＴＶ（ＮＴＳＣ）〜ＴＶ（ＰＡＬ）」が表示されている。なお、アナログＲＧＢの入力端子において選択設定可能な映像信号の種別、および、コンポジットビデオの入力端子において選択設定可能な映像信号の種別は、上述した映像信号に限定するものではない。他の種類の映像信号名を表示して選択設定可能としてもよいし、選択設定可能な映像信号を減らしてもよい。
【００３１】
本実施形態では、ユーザーは、所望の映像信号のチェックボタンＣＢを選択して押下することで、当該映像信号を、自動電源オンを行う映像信号として設定することができる。設定されたチェックボタンＣＢは、白丸から黒丸に変化する。チェックボタンＣＢが押下されて、映像信号が選択されると、制御部２０は、当該映像信号の種別情報を映像信号記憶部２３に記憶させる。
【００３２】
図１に戻り、映像信号入力部３０は、複数の入力端子３０ａを備えている。これらの入力端子３０ａには、パーソナルコンピューターやビデオ再生装置等、図示しない外部の画像供給装置がケーブル（図示せず）を介して接続される。そして、外部の画像供給装置から入力端子３０ａに、各種形式の映像信号が入力される。制御部２０からの指示に基づき、映像信号入力部３０は、入力端子３０ａを切り換え、選択した入力端子３０ａに入力されている映像信号を映像信号判別部３１および映像処理部３２に出力する。なお、図１では、入力端子３０ａは４つとしているが、４つに限定するものではない。
【００３３】
映像信号判別部３１は、Ａ／Ｄコンバーター等を有して構成され、映像信号入力部３０から入力される映像信号の種別や有無を判別する。具体的には、映像信号の水平同期周波数、垂直同期周波数、リフレッシュレート等を検出することで、映像信号の種別を判別する。映像信号判別部３１が判別した映像信号の有無、および、映像信号の種別の情報は、制御部２０に通知される。
【００３４】
映像処理部３２は、映像信号入力部３０から入力される映像信号を、液晶ライトバルブ１２Ｒ，１２Ｇ，１２Ｂの各画素の階調を表す画像情報、即ち各画素に印加する駆動電圧を規定するための画像情報に変換する。さらに、映像処理部３２は、制御部２０の指示に基づいて、変換した画像情報に対して、明るさ、コントラスト、シャープネス、色合い等の画質を調整するための画質調整処理等を行い、処理後の画像情報をＯＳＤ処理部３３に出力する。
【００３５】
ＯＳＤ処理部３３は、制御部２０の指示に基づいて、入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部３３は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３３は、必要なＯＳＤ画像情報をＯＳＤメモリーから読み出し、入力画像上の所定の位置にＯＳＤ画像が重畳されるように、映像処理部３２から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３３は、映像処理部３２から入力される画像情報を、そのまま液晶駆動部１４に出力する。
【００３６】
液晶駆動部１４が、ＯＳＤ処理部３３から入力される画像情報に従って液晶ライトバルブ１２Ｒ，１２Ｇ，１２Ｂを駆動すると、光源装置１１から射出された光は、液晶ライトバルブ１２Ｒ，１２Ｇ，１２Ｂによって画像情報に応じた画像光に変調され、この画像光が投写レンズ１３から投写される。
【００３７】
次に、プロジェクター１の状態遷移について説明する。
図３は、本実施形態に係るプロジェクター１の状態遷移図である。
【００３８】
図３に示すように、プロジェクター１は、商用電源オフ状態ＳＴ０、スタンバイ状態ＳＴ１、および、投写状態ＳＴ２に遷移可能になっている。
【００３９】
商用電源オフ状態ＳＴ０は、プロジェクター１の商用電源がオフされている状態である。商用電源オフ状態ＳＴ０では、プロジェクター１は電気的な動作を行っていない。商用電源オフ状態ＳＴ０において、商用電源がオン（供給）されると、プロジェクター１は、スタンバイ状態ＳＴ１に遷移する。なお、商用電源ではなくバッテリーによって駆動されるプロジェクターであれば、商用電源オフ状態ＳＴ０は、当該バッテリーが外された状態、または、当該バッテリーに電力が無い状態を表す。
【００４０】
スタンバイ状態ＳＴ１は、プロジェクター１に商用電源が供給されている状態である。スタンバイ状態ＳＴ１において、プロジェクター１は、光源ランプ１１aは点灯していないが、他の回路の一部は動作している。本実施形態では、スタンバイ状態ＳＴ１において、プロジェクター１は、映像信号入力監視処理を行っている。また、電源キーの押下の監視を行っている。スタンバイ状態ＳＴ１において、映像信号記憶部２３に記憶されている種別の映像信号が入力された場合、または、電源キーのオン操作がなされた場合、プロジェクター１は、光源ランプ１１aを点灯して投写状態ＳＴ２に遷移する。スタンバイ状態ＳＴ１において、商用電源がオフされると、商用電源オフ状態ＳＴ０に遷移する。
【００４１】
投写状態ＳＴ２は、プロジェクター１が光源ランプ１１aを点灯している状態である。投写状態ＳＴ２では、入力されている映像信号に基づいた映像を投写する。投写状態ＳＴ２において、電源キーがオフされると、プロジェクター１は、光源ランプ１１aを消灯して、スタンバイ状態ＳＴ１に遷移する。
【００４２】
次に、プロジェクター１がスタンバイ状態ＳＴ１の際に行う映像信号入力監視処理について説明する。
図４は、本実施形態に係るプロジェクター１の映像信号入力監視処理のフローチャートである。
【００４３】
スタンバイ状態ＳＴ１において、プロジェクター１の制御部２０は、映像信号入力部３０に指示を出して、映像の入力端子３０ａを切り換えさせる（ステップＳ１０１）。制御部２０は、映像信号判別部３１に指示を出して、切り換えられた入力端子３０ａから入力される映像信号を判別させて、制御部２０に通知させる。これにより、制御部２０は、映像信号が入力されているか否かを判定する（ステップＳ１０２）。
【００４４】
映像信号が入力されていれば（ステップＳ１０２：ＹＥＳ）、制御部２０は、映像信号が映像信号記憶部２３に記憶された映像信号種別と一致するか否かを判定する（ステップＳ１０３）。映像信号記憶部２３に記憶された映像信号種別と一致していれば（ステップＳ１０３：ＹＥＳ）、制御部２０は、タイマーをスタートさせる（ステップＳ１０４）。
【００４５】
制御部２０は、映像信号判別部３１に問い合わせを行い、映像信号の入力が継続されているか否かを判定する（ステップＳ１０５）。映像信号の入力が継続されていれば（ステップＳ１０５：ＹＥＳ）、制御部２０は、所定の時間が経過したか否かをタイマーの計時によって判定する（ステップＳ１０６）。本実施形態では、所定の時間は１０秒とするが、所定の時間は１０秒に限定するものではない。
【００４６】
所定の時間が経過していれば（ステップＳ１０６：ＹＥＳ）、制御部２０は、光源制御部２２に指示を出して光源ランプ１１aを点灯させて、映像処理部３２に指示を出して映像の投写を開始させる（ステップＳ１０７）。そして、プロジェクター１の映像信号入力監視処理を終了する。
【００４７】
映像信号が入力されていない場合（ステップＳ１０２：ＮＯ）、制御部２０は、ステップＳ１０１に処理を移行させる。また、入力されている映像信号が映像信号記憶部２３に記憶された映像信号種別と一致していない場合（ステップＳ１０３：ＮＯ）、制御部２０は、ステップＳ１０１に処理を移行させる。また、映像信号の入力が継続されていない場合（ステップＳ１０５：ＮＯ）、制御部２０は、ステップＳ１０１に処理を移行させる。
【００４８】
また、タイマーの計時が、所定の時間を経過していなければ（ステップＳ１０６：ＮＯ）、制御部２０は、ステップＳ１０５に処理を移行させる。
【００４９】
上述したように、プロジェクター１は、スタンバイ状態ＳＴ１において映像信号入力監視処理を行い、所定の時間（１０秒）、ユーザーによって設定された映像信号を検出した場合に、投写状態ＳＴ２に移行する。
【００５０】
上述した実施形態によれば、以下の効果が得られる。
（１）プロジェクター１の映像信号記憶部２３は、「自動電源オンを行う映像信号設定メニュー画像Ｍ１」によって、ユーザーが設定した映像信号種別を記憶する。映像信号判別部３１は、スタンバイ状態ＳＴ１において、入力端子３０ａに入力される映像信号を判別する。制御部２０は、映像信号判別部３１が判別した映像信号と、映像信号記憶部２３に記憶された映像信号種別とが一致した場合に、光源ランプ１１ａを点灯し、映像の投写を開始させる。即ち、投写状態ＳＴ２となる。このように、プロジェクター１は、ユーザーによって設定された所望の映像信号が入力された場合に、自動で投写を開始することができるため、利便性が向上する。
【００５１】
（２）プロジェクター１は、スタンバイ状態ＳＴ１において、映像信号記憶部２３に設定（記憶）されていない映像信号が入力されたときには、自動電源オンしない。つまり、プロジェクター１が映像を投写してしまう事態を回避することができる。よって、映像信号の種類を知らない別のユーザーが、プロジェクターを使用してしまうことを防止できる。つまり、セキュリティー性を向上することができる。また、例えば、液晶ライトバルブ１２Ｒ，１２Ｇ，１２Ｂとアスペクト比が異なる映像信号であって、ユーザーが設定していない映像信号（所望しない映像信号）が入力された場合に、映像を投写してしまう事態を回避することができる。さらに、光源ランプ１１ａを点灯しないため、光源ランプ１１ａの消耗を抑制したり、消費電力を低減したりすることができる。
【００５２】
（３）プロジェクター１の映像信号記憶部２３は、映像信号の種別を複数記憶（設定）することが可能である。つまり、「自動電源オンを行う映像信号設定メニュー画像Ｍ１」によって、ユーザーは複数の映像信号種別を設定することができる。これにより、映像信号判別部３１が判別した映像信号と、設定（記憶）された複数の映像信号種別のうちの１つが一致した場合に、光源ランプ１１ａを点灯して、入力されている映像信号に基づく映像を投写することができる。よって、プロジェクター１の自動電源オン機能を複数の映像信号に対応させることができるため、利便性が向上する。
【００５３】
（４）プロジェクター１の映像信号記憶部２３は、映像信号入力部３０に備わる複数の入力端子３０ａ毎に、映像信号の種別を複数記憶することが可能である。これにより、入力端子３０ａから入力されて映像信号判別部３１が判別した映像信号と、入力端子３０ａ毎に設定された複数の映像信号種別のうちの１つが一致した場合に、光源ランプ１１ａを点灯して、入力されている映像信号に基づく映像を投写することができる。よって、プロジェクター１の自動電源オン機能を、複数の入力端子３０ａ毎の複数の映像信号に対応させることができるため、利便性が向上する。
【００５４】
（５）プロジェクター１は、映像信号記憶部２３に記憶された映像信号種別と一致する映像信号が、所定の時間（１０秒）入力され続けた場合に、光源ランプ１１ａを点灯して、映像信号に基づく映像の投写を開始することができる。つまり、設定された所望の映像信号が所定の時間、確実に入力されている場合に、自動電源オンする。よって、映像信号の入力状態が不確実、つまり、映像信号が不安定であったり、映像信号の入力が度々切り換わったりするような場合に、自動電源オンしてしまう事態を回避することが可能となり、有益である。
【００５５】
なお、上述した実施形態に限定されず、種々の変更や改良等を加えて実施することが可能である。変形例を以下に述べる。
【００５６】
（変形例１）上記実施形態では、自動電源オンを行う映像信号設定メニュー画像Ｍ１には、アナログＲＧＢ端子、および、コンポジットビデオ端子について、自動電源オンを設定可能な映像信号名を列挙したが、アナログＲＧＢ端子が複数ある場合は、「アナログＲＧＢ１」、「アナログＲＧＢ２」・・・、等と表示して、それぞれ、設定可能な映像信号名を列挙してもよい。また、プロジェクター１に、ＤＶＩ端子、コンポーネントビデオ端子、ＨＤＭＩ（登録商標）端子等、ＤｉｓｐｌａｙＰｏｒｔ端子等のその他の映像の入力端子が備わっている場合には、これらの入力端子についても、それぞれ、自動電源オンを設定可能な映像信号名を列挙してもよい。
【００５７】
（変形例２）上記実施形態では、スタンバイ状態ＳＴ１の映像信号入力監視処理において、映像の入力端子３０ａを切り換えて、映像信号の入力を監視するものとしたが、監視する入力端子３０ａは、全ての入力端子３０ａとしてもよいし、全てではない複数または１つの入力端子３０ａに限定してもよい。
【００５８】
（変形例３）上記実施形態では、映像信号記憶部２３が記憶する映像信号の種別の数は複数としたが、単数としてもよい。
【００５９】
（変形例４）上記実施形態では、プロジェクター１は、スタンバイ状態ＳＴ１において、映像信号入力監視処理を行うものとしたが、メニュー画像に、監視処理オン／オフ設定メニュー項目（図示せず）を備えて、当該映像信号入力監視処理を行わない（オフする）ように設定できるものとしてもよい。
【００６０】
（変形例５）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００６１】
（変形例６）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を光変調装置として用いることもできる。
【符号の説明】
【００６２】
１…プロジェクター、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作受付部、２２…光源制御部、２３…映像信号記憶部、３０…映像信号入力部、３０ａ…入力端子、３１…映像信号判別部、３２…映像処理部、３３…ＯＳＤ処理部、Ｓ…投写面。
【図１】
2015121648.tif 000003
【図２】
2015121648.tif 000004
【図３】
2015121648.tif 000005
【図４】
2015121648.tif 000006